(57)【要約】【課題】隔壁で区画された複数の部屋と、共用領域とを備えた建築物において、比較的簡素な構造で、音漏れおよび光漏れが発生しない部屋を少なくとも一つ形成することができ、クロストークも発生しない換気設備を提供する。【解決手段】  隔壁１０，１１で区画された複数の部屋１２，１３と、廊下１４とを備えた建築物１の天井裏２に配置された送風ファン内蔵の換気ユニット３と、換気ユニット３に開設された空気送出口４と部屋１２，１３ごとに配置された給気口５，６とを連通する送気経路７と、換気ユニット３に開設された空気吸込口９と廊下１４に配置された集中排気口１７とを連通する集中排気経路１８と、空気吸込口８と部屋１２に配置された個別排気口１９とを連通する個別排気経路２０と、部屋１３と集中排気口１７とを連通するため開閉具１１ａに設けられた通気経路１１ｂと、を備えた換気設備である。【選択図】  図１
2005188842.tif 000002
【特許請求の範囲】
【請求項１】
隔壁で区画された複数の部屋と、少なくとも一つの共用領域とを備えた建築物の天井裏に配置され少なくとも送風手段を有する換気ユニットと、
前記換気ユニットに開設された空気送出口と、前記部屋ごとに配置された給気口とを連通する送気経路と、
前記換気ユニットに開設された複数の空気吸込口のうちの少なくとも一つと、前記共用部分に配置された少なくとも一つの集中排気口とを連通する集中排気経路と、
残余の前記空気吸込口のうちの少なくとも一つと、残余の前記部屋の少なくとも一つに配置された個別排気口とを連通する個別排気経路と、
前記個別排気口が配置されていない前記部屋と前記集中排気口とを連通するため当該部屋の隔壁または出入口に設けられた通気経路と、
を備えたことを特徴とする換気設備。
【請求項２】
隔壁で区画された複数の部屋と、少なくとも一つの共用領域とを備えた建築物の天井裏に配置され少なくとも送風手段を有する換気ユニットと、
前記換気ユニットに開設された空気送出口と、前記部屋ごとに配置された給気口とを連通する送気経路と、
前記換気ユニット近傍に配置され前記換気ユニットに開設された空気吸込口に連結された合流器具と、前記共用部分に配置された少なくとも一つの集中排気口とを連通する集中排気経路と、
前記合流器具と、残余の前記部屋の少なくとも一つに配置された個別排気口とを連通する個別排気経路と、
前記個別排気口が配置されていない前記部屋と前記集中排気口とを連通するため当該部屋の隔壁または出入口に設けられた通気経路と、
を備えたことを特徴とする換気設備。
【請求項３】
前記合流器具としてチャンバを用いた請求項２記載の換気設備。
【発明の詳細な説明】
【技術分野】
【０００１】
本発明は一般住宅などの建築物の居室空間内を連続的に換気するために使用される２４時間換気設備に関する。
【背景技術】
【０００２】
住宅用の２４時間換気設備において、集中排気形の換気ユニットを使用する場合、図４に示すように、ユニット本体４０および排気口４１を廊下４２などの共用部分の天井４２ａに配置し、部屋４４，４５のそれぞれの出入口に設けられた開閉具４８，４６の下方をアンダーカットして開設された通気経路４８ａ，４６ａを介して各部屋４４，４５の排気が行われている。
【０００３】
また、各部屋４４，４５の天井４４ａ，４５ａには、給気口４９，５０が配置され、ユニット本体４０から送給される空気がこれらの給気口４９，５０から各部屋４４，４５へ供給されるようになっている。
【０００４】
一方、特許文献１，２には、居室空間をプライベートゾーン（寝室など）とパブリックゾーン（廊下や居間など）とに区画し、天井裏空間を排気チャンバとして、居室空間内の排気を天井面の排気口を介して天井裏空間へ吸い込んだ後、屋外へ排気する、という技術が開示されている。
【０００５】
【特許文献１】特開平１０−１８５２７１号公報（第２−７頁，第７図）
【特許文献２】特開平１０−１８５２７２号公報（第２−７頁，第７図）
【発明の開示】
【発明が解決しようとする課題】
【０００６】
図４で示した従来の換気設備の場合、共用部分である廊下４２の天井４２ａに設置された一つの排気口４１から複数の部屋４４，４５の空気を吸い込む必要があるため、各部屋４４，４５の開閉具４８，４６の下方に通気経路４８ａ，４６ａが設けられている。
【０００７】
したがって、部屋４４，４５内で発生する音声は通気経路４８ａ，４６ａを通って廊下４２へ漏洩しやすく、廊下４２を介して他の部屋へ伝わることも多い。このため、部屋４４をホームシアターやオーディオルームなどとして使用した場合、スピーカ５１から発生する音声が他の部屋などへ漏洩したり、廊下４２や他の部屋４５からの雑音が部屋４４へ流れ込んだりする、いわゆる音漏れが発生する。また、通気経路４８ａ，４６ａを介して光が漏れるという問題もある。
【０００８】
このような音漏れや光漏れが発生する状況下では、一つの部屋で発生した音声や光が他の部屋へ伝わって就寝中の居住者に不快感を与える可能性が高いため、ホームシアターなどを構築しても大音量で楽しむことができない。
【０００９】
一方、特許文献１，２に記載されている換気設備は、居室空間をプライベートゾーン（寝室など）とパブリックゾーン（廊下や居間など）とに区画して排気を行う方式であるが、天井裏空間がこれら２つのゾーンの排気チャンバとして共用されている。したがって、天井裏に配置された排気口から天井裏空間を介して音声が相互に漏洩する、いわゆるクロストークが発生することがあり、このようなクロストーク発生を回避することは困難である。
【００１０】
本発明が解決しようとする課題は、隔壁で区画された複数の部屋と、少なくとも一つの共用領域とを備えた建築物において、比較的簡素な構造で、音漏れおよび光漏れが発生しない部屋を少なくとも一つ形成することができ、クロストークも発生しない換気設備を提供することにある。
【課題を解決するための手段】
【００１１】
本発明の換気設備は、隔壁で区画された複数の部屋と、少なくとも一つの共用領域とを備えた建築物の天井裏に配置され少なくとも送風手段を有する換気ユニットと、
換気ユニットに開設された空気送出口と、部屋ごとに配置された給気口とを連通する送気経路と、
換気ユニットに開設された複数の空気吸込口のうちの少なくとも一つと、共用部分に配置された少なくとも一つの集中排気口とを連通する集中排気経路と、
残余の空気吸込口のうちの少なくとも一つと、残余の部屋の少なくとも一つに配置された個別排気口とを連通する個別排気経路と、
個別排気口が配置されていない部屋と集中排気口とを連通状態とするため当該部屋の隔壁または出入口に設けられた通気経路と、
を備えたことを特徴とする。ここで、共用領域とは、寝室や個室などの個人的利用のための部屋を除く、廊下や居間などの領域をいい、送風手段とは、送風ファン、これを駆動するモータおよびモータの駆動力を送風ファンに伝える伝達機構などを備えた装置をいう。
【００１２】
このような構成とすることにより、建築物内には、換気ユニットと連通する給気口および個別排気口の両方が配置され、他の部屋や共有領域から独立して換気可能な部屋が少なくとも一つ形成されるため、この部屋の隔壁や出入口には、集中排気口と連通状態を確保するための通気経路を設ける必要がなくなる。したがって、隔壁で区画された複数の部屋と、少なくとも一つの共用領域とを備えた建築物において、音漏れおよび光漏れが発生しない部屋を少なくとも一つ形成することができ、その部屋をホームシアターやオーディオルームなど大音量が発生する部屋としても使用可能となる。また、換気ユニットの送風手段に起因する音（送風ファンの風切り音など）がマスキング効果を発揮するため、送気経路や排気経路を介してのクロストークが発生することもない。
【００１３】
この場合、換気ユニットと、各部屋に配置された給気口とを連通し、少なくとも一つの部屋に、換気ユニットと連通する個別排気口を設け、他の部屋の隔壁または出入り口に集中排気口と連通させるための通気経路を設ければよいので、構造も比較的簡素である。
【００１４】
また、本発明の換気設備は、隔壁で区画された複数の部屋と、少なくとも一つの共用領域とを備えた建築物の天井裏に配置され少なくとも送風手段を有する換気ユニットと、
換気ユニットに開設された空気送出口と、部屋ごとに配置された給気口とを連通する送気経路と、
換気ユニット近傍に配置され換気ユニットに開設された空気吸込口に連結された合流器具と、共用部分に配置された少なくとも一つの集中排気口とを連通する集中排気経路と、
合流器具と、残余の部屋の少なくとも一つに配置された個別排気口とを連通する個別排気経路と、
個別排気口が配置されていない部屋と集中排気口とを連通するため当該部屋の隔壁または出入口に設けられた通気経路と、
を備えたことを特徴とする。
【００１５】
このような構成とすれば、建築物内には、換気ユニットと連通する給気口および個別排気口の両方が配置され、他の部屋や共有領域から独立して換気可能な部屋が少なくとも一つ形成されるため、前述の換気設備と同様の機能、効果を得ることができる。また、換気ユニット近傍に配置された合流器具で集中排気経路と個別排気経路とが一本化されるため、設置スペースの縮小および排気経路用資材の削減を図ることができる。なお、合流器具は、天井裏の換気ユニット近傍に配置されるため、集中排気経路と個別排気経路との間でクロストークが発生することはない。これは、換気ユニットが有する送風手段に起因する音が合流器具内に侵入してくる音声に対しマスキング効果を発揮するからである。
【００１６】
この場合、合流器具としてはチャンバを用いることが望ましく、これによって、合流地点における圧損や騒音の発生を抑制することができる。また、従来の集中排気形の換気ユニットをそのまま採用して個別排気経路を形成することができるため、個別排気の系統を比較的容易に増設することができる。
【発明の効果】
【００１７】
本発明により、以下の効果を奏する。
（１）隔壁で区画された複数の部屋と、少なくとも一つの共用領域とを備えた建築物の天井裏に配置され少なくとも送風手段を有する換気ユニットと、
換気ユニットに開設された空気送出口と、部屋ごとに配置された給気口とを連通する送気経路と、
換気ユニットに開設された複数の空気吸込口のうちの少なくとも一つと、共用部分に配置された少なくとも一つの集中排気口とを連通する集中排気経路と、
残余の空気吸込口のうちの少なくとも一つと、残余の部屋の少なくとも一つに配置された個別排気口とを連通する個別排気経路と、
個別排気口が配置されていない部屋と集中排気口とを連通状態とするため当該部屋の隔壁または出入口に設けられた通気経路と、を備えたことにより、比較的簡素な構造で、音漏れおよび光漏れが発生しない部屋を少なくとも一つ形成することができ、その部屋をオーディオルームなど大音量が発生する部屋としても使用可能となり、クロストークも発生しない。
【００１８】
（２）隔壁で区画された複数の部屋と、少なくとも一つの共用領域とを備えた建築物の天井裏に配置され少なくとも送風手段を有する換気ユニットと、
換気ユニットに開設された空気送出口と、部屋ごとに配置された給気口とを連通する送気経路と、
換気ユニット近傍に配置され換気ユニットに開設された空気吸込口に連結された合流器具と、共用部分に配置された少なくとも一つの集中排気口とを連通する集中排気経路と、
合流器具と、残余の部屋の少なくとも一つに配置された個別排気口とを連通する個別排気経路と、
個別排気口が配置されていない部屋と集中排気口とを連通するため当該部屋の隔壁または出入口に設けられた通気経路と、を備えたことにより、前記（１）と同様の効果が得られるほか、設置スペースの縮小および排気経路用資材の削減を図ることができる。
【００１９】
（３）集中排気経路と個別排気経路との合流器具としてチャンバを用いることにより、合流地点における圧損や騒音の発生を抑制することができるほか、従来の集中排気形の換気ユニットをそのまま採用して、個別排気経路を形成することができるため、個別排気の系統を比較的容易に増設することができる。
【発明を実施するための最良の形態】
【００２０】
以下、図面に基づいて、本発明の実施の形態である換気設備について説明する。図１は本発明の第１実施形態である換気設備を示す概略構成図である。
【００２１】
本実施形態の換気設備においては、隔壁１０，１１で区画された複数の部屋１２，１３と、共用領域である廊下１４を備えた建築物１の天井裏２に換気ユニット３が配置されている。換気ユニット３は、一つの空気送出口４と、複数の空気吸込口８，９と、外気導入口１５と、内気排出口１６とを具備している。外気導入口１５は導入経路１５ａおよび導入器１５ｂを介して屋外に連通している。内気排出口１６は排出経路１６ａおよび排出器１６ｂを介して外気に連通している。また、換気ユニット３は全熱交換エレメントおよび送風ファンおよび駆動モータなど（図示せず）を内蔵し、屋外から取り入れた外気と、室内から吸い込んだ内気との間で熱交換を行う機能を有している。
【００２２】
換気ユニット３の空気送出口４は、送気経路７を介して、それぞれの部屋１２，１３に個別に配置された給気口５，６と連通している。換気ユニット３に開設された複数の空気吸込口８，９のうちの一方の空気吸込口９と、廊下１４（共用部分）の天井部分に配置された集中排気口１７とは集中排気経路１８によって連通している。他方の空気吸込口８と、部屋１２に配置された個別排気口１９とは個別排気経路２０によって連通している。また、個別排気口１９が配置されていない部屋１３と集中排気口１７とを連通状態とするため、隔壁１１に設けられた出入り口の開閉具１１ａの下方に、通気経路１１ｂが開設されている。
【００２３】
このような構成とすることにより、隔壁１０，１１で区画された複数の部屋１２，１３と、共用領域である廊下１４などを備えた建築物１の内部には、換気ユニット３と連通する給気口５および個別排気口１９の両方が配置され、他の部屋１３や共用領域である廊下１４から独立して換気可能な部屋１２が少なくとも一つ形成された状態となる。したがって、この部屋１２の隔壁１０や出入口の開閉具１０ａには、集中排気口１７と連通状態するための通気経路を設ける必要がない。これによって、部屋１２は、廊下１４や他の部屋１３から独立した閉塞空間となるため、音漏れや光漏れが発生しない。
【００２４】
したがって、部屋１２にホームシアターなどを構築した場合でも、スピーカ２２が発する音声が、廊下１４などの共用部や他の部屋１３に漏洩するのを回避することができる。また、換気ユニット３に内蔵されている送風ファン（図示せず）の運転音（風切り音など）が、侵入してくる音声に対しマスキング効果を発揮するため、送気経路７、集中排気経路１８あるいは個別排気経路２０を介してクロストークが発生することもない。なお、本実施形態では他の部屋として部屋１３のみを示しているが、これに限定するものではなく、部屋１３以外の複数の部屋あるいは共用領域がある建築物においても採用可能な換気設備である。
【００２５】
本実施形態の換気設備は、換気ユニット３と、各部屋１２，１３に配置された給気口５，６とを連通し、少なくとも一つの部屋１２に、換気ユニット３と連通する個別排気口１９を設け、他の部屋１３の隔壁１１の出入口の開閉具１１ｂ下方に、集中排気口１７と連通させるための通気経路１１ｂを設ければよいので、比較的簡素な構造とすることができる。また、換気ユニット３は、全熱交換エレメントおよび送風ファン（図示せず）を内蔵し、取り入れた外気を室内雰囲気に近づけて室内へ吹き出すことができるため、空調負荷を軽減することができる。また、通気経路１１ｂは開閉具１１ｂの下端部分をアンダーカットとすることによって容易に形成することができる。
【００２６】
また、本実施形態の換気設備において、換気ユニット３の近傍の、集中排気経路１８あるいは個別排気経路２０の途中に、気流を合流あるいは分流させる機能を有するチャンバなどの合流器具（分流器具）を配置すれば、集中排気経路や個別排気経路の増設が可能となる。この場合、増設用の接続口を有する合流器具（分流器具）を換気ユニット３の近傍の集中排気経路１８や個別排気経路２０の途中に配置すれば、施工後における、集中排気経路や個別排気経路の増設が容易となる。
【００２７】
次に、図２を参照して、本発明の第２実施形態である換気設備について説明する。図２は、第２実施形態である換気設備を示す概略構成図である。なお、図２において、図１に示す換気設備の構成部分と同じ機能、効果を発揮する部分については、図１と同じ符号を付して説明を省略する。
【００２８】
図２に示す換気設備においては、空気吸込口８，９から換気ユニット３内へ吸い込んだ空気を天井裏２に放出するため、空気放出口２３を設けている。このような空気放出口２３を設ければ、換気ユニット３から空気放出口２３を介して天井裏２に放出された空気は、図２中の破線Ｌで示すように循環することにより、天井裏２の領域内の空気を撹拌しながら建築物１の外壁２４の上部に設けられた排気手段２５から屋外へ排気されるようになる。
【００２９】
したがって、建築物１の天井裏２の領域内の換気も行うことが可能となり、天井裏２における結露の発生やカビの繁殖を防止することができ、天井裏２を換気することで、室内の熱負荷を軽減することもできる。また、換気ユニット３から外気に面する部分までの空気排出経路（図１の排出経路１６ａおよび排出器１６ｂ）が不要となるため、設置スペースの縮小および排出経路用資材の削減を図ることもできる。
【００３０】
次に、図３を参照して、本発明の第３実施形態である換気設備について説明する。図３は、第３実施形態である換気設備を示す概略構成図である。なお、図３において、図１に示す換気設備の構成部分と同じ機能、効果を発揮する部分については、図１と同じ符号を付して説明を省略する。
【００３１】
図３に示す換気設備においては、集中排気経路１８と個別排気経路２０とを合流させ、一つの空気吸込口８に連通するための合流器具２６を天井裏２の換気ユニット３の近傍に配置している。このような構成とすれば、換気ユニット３近傍において排気経路が一本化されるため、設置スペースの縮小および排気経路用資材の削減を図ることができる。
【００３２】
この場合、合流器具２６は、天井裏２の換気ユニット３近傍に配置しているため、換気ユニット３に内蔵されている送風ファンの運転音（風切り音など）が合流器具２６内に侵入する音声に対するマスキング効果を発揮する結果、集中排気経路１８と個別排気経路２０との間でクロストークが発生することはない。
【００３３】
本実施形態では、合流器具２６としてチャンバを用いているため、合流地点における圧損や騒音の発生を回避することができる。また、集中排気形の換気ユニット３が、従来の集中排気形の換気ユニットであっても、それをそのまま用いて個別排気経路２０を形成することも可能であるため、個別排気経路２０を比較的容易に増設することができる。また、合流器具２６に、増設用の接続口を予め設けておけば、施工後における、個別排気経路や集中排気経路の増設が容易となる。
【産業上の利用可能性】
【００３４】
本発明は、一般住宅などの各種建築物の２４時間換気設備として広く利用することができる。
【図面の簡単な説明】
【００３５】
【図１】本発明の第１実施形態である換気設備を示す概略構成図である。
【図２】本発明の第２実施形態である換気設備を示す概略構成図である。
【図３】本発明の第３実施形態である換気設備を示す概略構成図である。
【図４】従来の換気設備を示す概略構成図である。
【符号の説明】
【００３６】
１  建築物
２  天井裏
３  換気ユニット
３ａ  全熱交換エレメント
４  空気送出口
５，６  給気口
７  送気経路
８，９  空気吸込口
１０，１１  隔壁
１０ａ，１１ａ  開閉具
１１ｂ  通気経路
１２，１３  部屋
１４  廊下
１５  外気導入口
１５ａ  導入経路
１５ｂ  導入器
１６  内気排出口
１６ａ  排出経路
１６ｂ  排出器
１７  集中排気口
１８  集中排気経路
１９  個別排気口
２０  個別排気経路
２２  スピーカ
２３  空気放出口
２４  外壁
２５  排気手段
２６  合流器具
Ｌ  破線
【図１】
2005188842.tif 000003
【図２】
2005188842.tif 000004
【図３】
2005188842.tif 000005
【図４】
2005188842.tif 000006